(57)【要約】【課題】コストの低減を図りながら、放熱部の立ち上がりを向上させることが可能となる貯湯タンク併設式の熱媒供給設備を提供する点にある。【解決手段】給湯路６が接続された貯湯タンク１と、放熱部２と熱媒加熱手段３との間を接続する熱媒循環路４を通して熱媒を循環させる熱媒供給手段５と、その熱媒供給手段５の運転を制御する運転制御手段Ｈとが設けられ，貯湯タンク１内の湯水を熱媒循環路４に熱媒として供給する貯湯湯水供給手段２４が設けられ、運転制御手段Ｈは、熱媒供給手段５の立ち上げ運転をするときに、貯湯タンク１内の湯水を熱媒循環路４に供給するように、貯湯湯水供給手段２４の運転を制御するように構成されている。【選択図】　　　　図１
2004077074.tif 000002
【特許請求の範囲】
【請求項１】
給湯路が接続された貯湯タンクと、放熱部と熱媒加熱手段との間を接続する熱媒循環路を通して熱媒を循環させる熱媒供給手段と、その熱媒供給手段の運転を制御する運転制御手段とが設けられている貯湯タンク併設式の熱媒供給設備であって、
前記貯湯タンク内の湯水を前記熱媒循環路に熱媒として供給する貯湯湯水供給手段が設けられ、
前記運転制御手段は、前記熱媒供給手段の立ち上げ運転をするときに、前記貯湯タンク内の湯水を前記熱媒循環路に供給するように、前記貯湯湯水供給手段の運転を制御するように構成されている貯湯タンク併設式の熱媒供給設備。
【請求項２】
前記貯湯湯水供給手段が、前記貯湯タンク内の湯水を、前記熱媒循環路のうち、前記放熱部から前記熱媒加熱手段に熱媒を流動させる戻り側流路部分に供給させるように構成され、
前記運転制御手段は、前記立ち上げ運転において、前記熱媒加熱手段を運転させるように構成されている請求項１に記載の貯湯タンク併設式の熱媒供給設備。
【請求項３】
前記熱媒循環路における前記放熱部から前記熱媒加熱手段に熱媒を流動させる戻り側流路部分に、膨張タンクが接続され、
前記貯湯湯水供給手段が、前記貯湯タンク内の湯水を、前記熱媒循環路における前記膨張タンクの接続箇所よりも熱媒循環方向下手側箇所に供給するように構成され、
前記熱媒供給手段が、前記貯湯湯水供給手段から湯水が前記熱媒循環路に供給される状態で、前記放熱部の通過あとの熱媒を前記膨張タンクに流動させてオーバーフローにより排出させるオーバーフロー排出式の立ち上げ循環状態に切換自在に構成され、
前記運転制御手段が、前記立ち上げ運転において、前記オーバーフロー排出式の立ち上げ循環状態に切り換えるように前記熱媒供給手段の運転を制御するように構成されている請求項１または２に記載の貯湯タンク併設式の熱媒供給設備。
【請求項４】
前記熱媒循環路における前記放熱部から前記熱媒加熱手段に熱媒を流動させる戻り側流路部分に、膨張タンクが接続され、
前記貯湯湯水供給手段が、前記貯湯タンク内の湯水を、前記膨張タンクに供給するように構成され、
前記熱媒供給手段が、前記貯湯湯水供給手段から湯水が前記膨張タンクを経由して前記熱媒循環路に供給される状態で、前記放熱部の通過あとの熱媒を前記熱媒循環路より外部に排出させる外部排出式の立ち上げ循環状態に切換自在に構成され、
前記運転制御手段が、前記立ち上げ運転において、前記外部排出式の立ち上げ循環状態に切り換えるように前記熱媒供給手段の運転を制御するように構成されている請求項１または２に記載の貯湯タンク併設式の熱媒供給設備。
【発明の詳細な説明】
【０００１】
【発明の属する技術分野】
本発明は、給湯路が接続された貯湯タンクと、放熱部と熱媒加熱手段との間を接続する熱媒循環路を通して熱媒を循環させる熱媒供給手段と、その熱媒供給手段の運転を制御する運転制御手段とが設けられている貯湯タンク併設式の熱媒供給設備に関する。
【０００２】
【従来の技術】
上記のような貯湯タンク併設式の熱媒供給設備は、他の装置の排熱などにて貯湯タンクに貯湯し、その貯湯タンク内の湯水を給湯路を通して給湯箇所に給湯するとともに、熱媒加熱手段および熱媒供給手段を運転させて、熱媒加熱手段にて加熱された熱媒を床暖房装置や浴室暖房装置などの放熱部に供給するものである。
【０００３】
この貯湯タンク併設式の熱媒供給設備においては、放熱部へ熱媒供給を開始するときに、放熱部の立ち上がりを向上させるために、熱媒供給手段の立ち上げ運転を行うようにしている。
そして、従来、熱媒供給手段の立ち上げ運転の構成としては、熱媒加熱手段による加熱能力を増大させることにより熱媒供給手段の立ち上げ運転をする従来構成１と、貯湯タンク内の湯水を用いて熱媒供給手段の立ち上げ運転をする従来構成２とがある。
【０００４】
従来構成１について説明を加えると、図５に示すように、貯湯タンク３１の上部に給湯路３２が接続され、底部に給水路３３が接続され、貯湯タンク３１の底部から取り出した湯水を、貯湯用熱交換器３４を通過させて加熱し、その加熱された湯水を貯湯タンク３１の上部に戻すように循環させて、貯湯タンク３１に貯湯するようにしている。
熱媒供給手段として、熱媒循環路３５および熱媒循環ポンプ３６が設けられ、熱媒循環路３５における放熱部３７から熱媒加熱手段としての熱源ボイラ３８に熱媒を流動させる戻り側流路部分３５ａと熱源ボイラ３８から放熱部３７に熱媒を流動させる往き側流路部分３５ｂとを接続するバイパス路３９が設けられ、そのバイパス路３９と戻り側流路部分３５ａとの接続箇所に、三方弁４０が配設され、戻り側流路部分３５ａに膨張タンク４１が接続されている。
そして、従来構成１においては、熱媒供給手段の立ち上げ運転として、運転制御部Ｈ１が、熱源ボイラ３８における加熱能力を加熱能力の大きな立ち上げ用加熱能力に増大させるように熱源ボイラ３８の運転を制御するようにしている。
【０００５】
従来構成２について説明を加えると、例えば、特開２０００−１２１１６０号公報に示されているように、貯湯タンクから取り出した湯水を熱媒加熱用熱交換器を通過させる状態で循環させる湯水循環手段と、熱媒加熱用熱交換器と放熱部との間を接続する熱媒循環路を通して熱媒を循環させる熱媒供給手段とが設けられている。
そして、従来構成２においては、熱媒供給手段の立ち上げ運転として、運転制御手段が、貯湯タンクから取り出した湯水にて熱媒を加熱させるように湯水循環手段の運転を制御するようにしている。
【０００６】
ちなみに、従来構成２においては、上記従来構成１と同様に、熱媒加熱用熱交換器に加えて、熱源ボイラなどの熱媒加熱手段を設けて、貯湯タンクに貯湯しているときや貯湯タンク内の湯水では放熱部にて要求されている熱量に満たないときなどにも、放熱部に熱媒供給できるように構成されている。
【０００７】
【発明が解決しようとする課題】
上記従来構成１では、熱媒供給手段の立ち上げ運転をするときに、熱源ボイラにて多量の熱量を発生させることになるので、設備全体としてのエネルギー消費量が増加する虞があるとともに、熱媒供給手段の立ち上げ運転を行うために、大きな加熱能力に調整可能な熱源ボイラが必要となるので、コストアップを招くことになる。
【０００８】
また、上記従来構成２では、貯湯タンク内の湯水を用いて熱媒供給手段の立ち上げ運転をすることによって、設備全体としてのエネルギー消費量の低減を図ることが可能となるが、熱媒加熱手段に加えて、熱媒加熱用熱交換器を設けることになり、コストアップを招くことになる。
ちなみに、従来構成２において、貯湯タンクに温度成層を形成する状態で貯湯するものでは、熱媒加熱用熱交換器を通過した湯水の温度は貯湯タンクの下部の湯水の温度よりも高いので、その熱媒加熱用熱交換器を通過した湯水を貯湯タンクに戻すようにすると、温度成層が乱れるという問題が生じる虞がある。
【０００９】
本発明は、かかる点に着目してなされたものであり、その目的は、コストの低減を図りながら、放熱部の立ち上がりを向上させることが可能となる貯湯タンク併設式の熱媒供給設備を提供する点にある。
【００１０】
【課題を解決するための手段】
この目的を達成するために、請求項１に記載の発明によれば、給湯路が接続された貯湯タンクと、放熱部と熱媒加熱手段との間を接続する熱媒循環路を通して熱媒を循環させる熱媒供給手段と、その熱媒供給手段の運転を制御する運転制御手段とが設けられている貯湯タンク併設式の熱媒供給設備において、
前記貯湯タンク内の湯水を前記熱媒循環路に熱媒として供給する貯湯湯水供給手段が設けられ、前記運転制御手段は、前記熱媒供給手段の立ち上げ運転をするときに、前記貯湯タンク内の湯水を前記熱媒循環路に供給するように、前記貯湯湯水供給手段の運転を制御するように構成されている。
【００１１】
すなわち、運転制御手段が、熱媒供給手段の立ち上げ運転をするときに、貯湯タンク内の湯水を熱媒として熱媒循環路に供給するように、貯湯湯水供給手段の運転を制御することが可能となるので、貯湯タンク内の高温の湯水を熱媒循環路に供給し、その高温の湯水を放熱部に供給することが可能となって、熱媒供給を開始した当初から高温の湯水を放熱部に供給することが可能となる。
したがって、加熱能力の大きな熱媒加熱手段や熱媒加熱用熱交換器を設けなくても、熱媒供給を開始した当初から極力高温の熱媒を放熱部に供給することが可能となって、コストの低減を図りながら、放熱部の立ち上がりを向上させることが可能となる貯湯タンク併設式の熱媒供給設備を提供できるに至った。
【００１２】
請求項２に記載の発明によれば、前記貯湯湯水供給手段が、前記貯湯タンク内の湯水を、前記熱媒循環路のうち、前記放熱部から前記熱媒加熱手段に熱媒を流動させる戻り側流路部分に供給させるように構成され、前記運転制御手段は、前記立ち上げ運転において、前記熱媒加熱手段を運転させるように構成されている。
【００１３】
すなわち、運転制御手段が、熱媒供給手段の立ち上げ運転をするときに、貯湯タンク内の湯水を熱媒として熱媒循環路における戻り側流路部分に供給するように、貯湯湯水供給手段の運転を制御するとともに、熱媒加熱手段を運転させることが可能となるので、貯湯タンク内の湯水を熱媒として戻り側流路部分に供給させ、その湯水を熱媒加熱手段にて加熱したのち放熱部に供給させることが可能となる。
したがって、熱媒供給手段の立ち上げ運転をするときに、貯湯タンク内の湯水を熱媒加熱手段にて加熱する状態で放熱部に供給することが可能となって、熱媒供給を開始した当初からより高温の熱媒を放熱部に供給することが可能となり、放熱部の立ち上がりをより一層向上させることが可能となる。
【００１４】
請求項３に記載の発明によれば、前記熱媒循環路における前記放熱部から前記熱媒加熱手段に熱媒を流動させる戻り側流路部分に、膨張タンクが接続され、前記貯湯湯水供給手段が、前記貯湯タンク内の湯水を、前記熱媒循環路における前記膨張タンクの接続箇所よりも熱媒循環方向下手側箇所に供給するように構成され、前記熱媒供給手段が、前記貯湯湯水供給手段から湯水が前記熱媒循環路に供給される状態で、前記放熱部の通過あとの熱媒を前記膨張タンクに流動させてオーバーフローにより排出させるオーバーフロー排出式の立ち上げ循環状態に切換自在に構成され、前記運転制御手段が、前記立ち上げ運転において、前記オーバーフロー排出式の立ち上げ循環状態に切り換えるように前記熱媒供給手段の運転を制御するように構成されている。
【００１５】
すなわち、運転制御手段が、熱媒供給手段の立ち上げ運転をするときに、貯湯タンク内の湯水を熱媒として熱媒循環路における膨張タンクの接続箇所よりも熱媒循環方向下手側箇所に供給するように、貯湯湯水供給手段の運転を制御するとともに、オーバーフロー排出式の立ち上げ循環状態に切り換えるように熱媒供給手段の運転を制御することが可能となるので、貯湯タンク内の湯水を熱媒循環路における膨張タンクの接続箇所よりも熱媒循環方向下手側箇所に供給させ、その湯水を放熱部を通過させたのち膨張タンクに流動させてオーバーフローにより排出させることが可能となる。
したがって、膨張タンクにおけるオーバーフローを利用して、貯湯タンク内の湯水を放熱部に供給させて、放熱部の通過あとの熱媒を外部に排出させることが可能となって、放熱部の通過あとの熱媒を熱媒循環路より外部に排出させるための排出路や排出弁などを設けなくてもよく、構成の簡素化およびコストの低減を図ることが可能となる。
【００１６】
請求項４に記載の発明によれば、前記熱媒循環路における前記放熱部から前記熱媒加熱手段に熱媒を流動させる戻り側流路部分に、膨張タンクが接続され、前記貯湯湯水供給手段が、前記貯湯タンク内の湯水を、前記膨張タンクに供給するように構成され、前記熱媒供給手段が、前記貯湯湯水供給手段から湯水が前記膨張タンクを経由して前記熱媒循環路に供給される状態で、前記放熱部の通過あとの熱媒を前記熱媒循環路より外部に排出させる外部排出式の立ち上げ循環状態に切換自在に構成され、前記運転制御手段が、前記立ち上げ運転において、前記外部排出式の立ち上げ循環状態に切り換えるように前記熱媒供給手段の運転を制御するように構成されている。
【００１７】
すなわち、運転制御手段が、熱媒供給手段の立ち上げ運転をするときに、貯湯タンク内の湯水を膨張タンクに供給するように貯湯湯水供給手段の運転を制御するとともに、外部排出式の立ち上げ循環状態に切り換えるように熱媒供給手段の運転を制御することが可能となるので、貯湯タンク内の湯水を膨張タンクに供給させて膨張タンクを経由して熱媒循環路に供給させ、その湯水を放熱部を通過させたのち外部に排出させることが可能となる。
したがって、熱媒循環路における戻り側流路部分に接続される膨張タンクを利用して、貯湯タンク内の湯水を放熱部に供給させて、放熱部の通過あとの熱媒を外部に排出させることが可能となって、熱媒循環路に貯湯湯水供給用の接続部を設けなくてもよく、構成の簡素化およびコストの低減を図ることが可能となる。
【００１８】
【発明の実施の形態】
本発明にかかる貯湯タンク併設式の熱媒供給設備について図面に基づいて説明する。
〔第１実施形態〕
この貯湯タンク併設式の熱供給設備は、貯湯タンク１、床暖房装置や浴室暖房装置などの放熱部２と熱媒加熱手段としての熱源ボイラ３との間を接続する熱媒循環路４を通して熱媒としての温水を循環させる熱媒供給手段５、その熱媒供給手段５および熱源ボイラ３などの運転を制御する運転制御部Ｈなどを備えて構成されている。
【００１９】
前記貯湯タンク１は、上部に給湯路６が接続され、底部に給水路７が接続され、貯湯タンク１内の湯水を給湯路６を通して給湯するように構成され、貯湯タンク１の底部から取り出した湯水を貯湯用熱交換器１３を通過させる状態で上部に戻すために貯湯用循環路８および貯湯用循環ポンプ９などが設けられている。
また、貯湯用熱交換器１３と燃料電池発電部１０との間で燃料電池発電部１０における冷却水を循環させるために冷却水循環路１１および冷却水循環ポンプ１２などが設けられている。
そして、貯湯用循環ポンプ９および冷却水循環ポンプ１２を作動させることにより、貯湯用熱交換器１３において冷却水にて湯水を加熱させて、燃料電池発電部１０における排熱を利用して貯湯タンク１に貯湯するようにしている。
【００２０】
ちなみに、図示はしないが、燃料電池発電部１０は、例えば、高分子型の燃料電池が備えられ、ガス生成部にて生成された燃料ガスを供給させるとともに、ブロアから空気を供給させることにより、燃料ガス中の水素と空気中の酸素とを電気化学反応させて発電するように構成されている。
【００２１】
前記熱媒循環路４は、放熱部２から熱源ボイラ３に熱媒を流動させる戻り側流路部分４ａと、熱源ボイラ３から放熱部２に熱媒を流動させる往き側流路部分４ｂとから構成され、往き側流路部分４ｂと戻り側流路部分４ａとを接続するバイパス路１６が設けられ、そのバイパス路１６と戻り側流路部分４ａとの接続箇所に三方弁１７が設けられている。
そして、戻り側流路部分４ａには、熱媒循環方向上手側から順に、三方弁１７が配設され、排水用電磁弁１８が備えられた排水路１９が接続され、循環用電磁弁１５が配設され、オーバーフロー路２０ａを備えた膨張タンク２０が接続され、熱媒循環ポンプ１４が配設されている。
また、往き路流路部分４ｂには、給湯路６から分岐された貯湯湯水供給路２１が接続され、その貯湯湯水供給路２１には、貯湯湯水用電磁弁２３、空気層形成用ホッパ２２、逆止弁２５が設けられている。
ちなみに、図示はしないが、空気層形成用ホッパ２２には、湯水を排水する排水路と、その排水路を開閉する電磁式の排水弁とが設けられ、排水路の端部が熱媒循環路４に接続されている。
【００２２】
そして、貯湯タンク１内の湯水を熱媒循環路４における往き側流路部分４ｂに熱媒として供給する貯湯湯水供給手段２４が設けられている。
説明を加えると、貯湯湯水供給手段２４は、貯湯湯水用電磁弁２３を開弁させて、貯湯タンク１内の湯水を熱媒循環路４における往き側流路部分４ｂに熱媒として供給する供給状態と、貯湯湯水用電磁弁２３を閉弁させる供給停止状態とに切換自在に構成されている。
前記貯湯湯水供給手段２４は、貯湯湯水供給路２１、空気層形成用ホッパ２２、貯湯湯水用電磁弁２３、および、逆止弁２５などにより構成されている。
【００２３】
前記熱媒供給手段５は、放熱部２の通過あとの熱媒を戻り流路部分４ａを通して熱源ボイラ３に流動させる通常循環状態と、貯湯湯水供給手段２４から湯水が熱媒循環路４における往き側流路部分４ｂに供給される状態で、放熱部２の通過あとの熱媒を排水路１９を通して熱媒循環路４より外部に排出させる外部排出式の立ち上げ循環状態とに切換自在に構成されている。
そして、熱媒供給手段５は、熱媒循環路４、三方弁１７、排水用電磁弁１８、循環用電磁弁１５、および、熱媒循環ポンプ１４などにより構成されている。
【００２４】
説明を加えると、熱媒供給手段５は、通常循環状態に切り換えられると、排水用電磁弁１８を閉弁しかつ循環用電磁弁１５を開弁させた状態で熱媒循環ポンプ１４を作動させ、放熱部２の通過あとの熱媒を戻り流路部分４ａを通して熱源ボイラ３に流動させるようにしている。
また、熱媒供給手段５は、外部排出式の立ち上げ循環状態に切り換えられると、排水用電磁弁１８を開弁しかつ循環用電磁弁１５を閉弁させた状態で熱媒循環ポンプ１４を作動させ、貯湯湯水供給手段２４にて往き側流路部分４ｂに供給される貯湯タンク１内の湯水を熱媒として放熱部２を通過させ、放熱部２の通過あとの熱媒を排水路１９を通して熱媒循環路４より外部に排出させるようにしている。
【００２５】
前記運転制御部Ｈは、運転指令部２６による運転指令に基づいて、放熱部２への熱媒供給を開始・停止するとともに、放熱部２へ熱媒供給を開始するときに、熱媒供給手段５の立ち上げ運転を行い、その立ち上げ運転のあとに熱媒供給手段５の通常運転を行うように構成されている。
ちなみに、運転制御部Ｈは、放熱部２における温度が立ち上げ設定温度以上になる、あるいは、熱媒供給手段５の立ち上げ運転を開始してから立ち上げ設定時間が経過することにより、熱媒供給手段５の立ち上げ運転から通常運転へ切り換えるように構成されている。
【００２６】
説明を加えると、運転制御部Ｈは、熱媒供給手段５の立ち上げ運転をするときに、貯湯タンク１内の湯水を熱媒循環路４における往き側流路部分４ｂに供給するべく、供給状態に切り換えるように貯湯湯水供給手段２４の運転を制御するとともに、外部排出式の立ち上げ循環状態に切り換えるように熱媒供給手段５の運転を制御するように構成されている。
そして、運転制御部Ｈは、熱媒供給手段５の通常運転をするときに、供給停止状態に切り換えるように貯湯湯水供給手段２４の運転を制御するとともに、通常循環状態に切り換えるように熱媒供給手段５の運転を制御し、かつ、熱源ボイラ３を運転させるように構成されている。
【００２７】
このようにして、放熱部２への熱媒供給を開始するときには、貯湯タンク１内の高温の湯水を熱媒循環路４に供給して、その高温の湯水を放熱部２に供給することにより、加熱能力の大きな熱源ボイラ３などを設けなくても、熱媒供給を開始した当初から極力高温の熱媒を放熱部２に供給して、コストの低減を図りながら、放熱部２の立ち上がりを向上させるようにしている。
【００２８】
ちなみに、この第１実施形態においては、貯湯タンク１内に貯湯されていない場合に、運転制御部Ｈは、熱媒供給手段５の立ち上げ運転をするときにも、通常運転と同様に、供給停止状態に切り換えるように貯湯湯水供給手段２４の運転を制御するとともに、通常循環状態に切り換えるように熱媒供給手段５の運転を制御し、かつ、熱源ボイラ３を運転させるように構成されている。
【００２９】
〔第２実施形態〕
この第２実施形態は、上記第１実施形態における貯湯湯水供給路２１の接続箇所の別実施形態を示すものであり、図面に基づいて説明する。
なお、その他の構成については、上記第１実施形態と同様であるので、第１実施形態と同符号を記すなどにより、その詳細な説明は省略する。
【００３０】
上記第１実施形態では、貯湯湯水供給路２１を熱媒循環路４における往き側流路部分４ｂに接続し、貯湯湯水供給手段２４が、貯湯タンク１内の湯水を熱媒循環路４における往き側流路部分４ｂに熱媒として供給するようにしているが、この第２実施形態では、図２に示すように、貯湯湯水供給路２１を熱媒循環路４における戻り側流路部分４ａに接続し、貯湯湯水供給手段２４が、貯湯タンク１内の湯水を熱媒循環路４における戻り側流路部分４ａに熱媒として供給するように構成されている。
【００３１】
説明を加えると、貯湯湯水供給路２１を、戻り側流路部分４ａにおける膨張タンク２０の接続箇所と熱媒循環ポンプ１４との間に接続し、貯湯湯水供給手段２４が、供給状態に切り換えられると、貯湯湯水用電磁弁２３を開弁させて、貯湯タンク１内の湯水を熱媒循環路４における戻り側流路部分４ａに熱媒として供給するようにしている。
【００３２】
そして、熱媒供給手段５は、外部排出式の立ち上げ循環状態に切り換えられると、排水用電磁弁１８を開弁しかつ循環用電磁弁１５を閉弁させた状態で熱媒循環ポンプ１４を作動させ、貯湯湯水供給手段２４にて往き側流路部分４ｂに供給される貯湯タンク１内の湯水を熱媒として放熱部２を通過させ、放熱部２の通過あとの熱媒を排水路１９を通して熱媒循環路４より外部に排出させるようにしている。
【００３３】
また、運転制御部Ｈは、熱媒供給手段５の立ち上げ運転をするときに、供給状態に切り換えるように貯湯湯水供給手段２４の運転を制御するとともに、外部排出式の立ち上げ循環状態に切り換えるように熱媒供給手段５の運転を制御させ、かつ、熱源ボイラ３を運転させるように構成されている。
このようにして、放熱部２への熱媒供給を開始するときには、貯湯タンク１内の湯水を熱媒循環路４に供給して、その湯水を熱源ボイラ３にて加熱したのち放熱部２に供給することにより、熱媒供給を開始した当初からより高温の熱媒を放熱部２に供給して、放熱部２の立ち上がりを向上させるようにしている。
【００３４】
〔第３実施形態〕
この第３実施形態は、上記第１実施形態における貯湯湯水供給路２１の接続箇所の別実施形態を示すものであり、図面に基づいて説明する。
なお、その他の構成については、上記第１実施形態と同様であるので、第１実施形態と同符号を記すなどにより、その詳細な説明は省略する。
【００３５】
上記第１実施形態では、貯湯湯水供給路２１を熱媒循環路４における往き側流路部分４ｂに接続し、貯湯湯水供給手段２４が、貯湯タンク１内の湯水を熱媒循環路４における往き側流路部分４ｂに熱媒として供給するようにしているが、この第３実施形態では、図３に示すように、貯湯湯水供給路２１を膨張タンク２０に接続し、貯湯湯水供給手段２４が、貯湯タンク１内の湯水を膨張タンク２０に供給するように構成されている。
【００３６】
説明を加えると、貯湯湯水供給路２１は、膨張タンク２０の熱媒との間に空気を介在させる状態で接続され、貯湯湯水供給手段２４が、供給状態に切り換えられると、貯湯湯水用電磁弁２３を開弁させて、貯湯タンク１内の湯水を、膨張タンク２０の熱媒と非接触状態で、膨張タンク２０に供給するようにしている。
そして、貯湯湯水供給手段２４が、供給停止状態に切り換えられたときに、貯湯タンク１内の湯水と膨張タンク２０の熱媒との間に空気を介在させて、貯湯タンク１内の湯水と膨張タンク２０の熱媒と接触させないようにすることにより、空気層形成用ホッパ２２を不要とし、コストの低減を図っている。
【００３７】
そして、熱媒供給手段５は、外部排出式の立ち上げ循環状態に切り換えられたときに、貯湯湯水供給手段２４から湯水が膨張タンク２０を経由して熱媒循環路４に供給される状態で、放熱部２の通過あとの熱媒を熱媒循環路４より外部に排出させるように構成されている。
説明を加えると、熱媒供給手段５は、外部排出式の立ち上げ循環状態に切り換えられると、排水用電磁弁１８を開弁しかつ循環用電磁弁１５を閉弁させた状態で熱媒循環ポンプ１４を作動させ、貯湯湯水供給手段２４にて膨張タンク２０に供給される貯湯タンク１内の湯水を熱媒として熱媒循環路４における戻り側流路部分４ａに供給し、その熱媒を熱源ボイラ３を通過させる状態で放熱部２に供給し、放熱部２の通過あとの熱媒を排水路１９を通して熱媒循環路４より外部に排出させるようにしている。
【００３８】
そして、運転制御部Ｈは、熱媒供給手段５の立ち上げ運転をするときに、供給状態に切り換えるように貯湯湯水供給手段２４の運転を制御するとともに、外部排出式の立ち上げ循環状態に切り換えるように熱媒供給手段５の運転を制御させ、かつ、熱源ボイラ３を運転させるように構成されている。
【００３９】
〔第４実施形態〕
この第４実施形態では、上記第１実施形態における熱媒供給手段５の別実施形態を示すものであり、図面に基づいて説明する。
なお、その他の構成については、上記第１実施形態と同様であるので、第１実施形態と同符号を記すなどにより、その詳細な説明は省略する。
【００４０】
上記第１実施形態では、熱媒供給手段５が、通常循環状態と外部排出式の立ち上げ循環状態とに切換自在に構成されているが、この第４実施形態では、熱媒供給手段５が、通常循環状態と、貯湯湯水供給手段２４から湯水が熱媒循環路４に供給される状態で、放熱部２の通過あとの熱媒を膨張タンク２０に流動させてオーバーフローにより排出させるオーバーフロー排出式の立ち上げ循環状態とに切換自在に構成されている。
【００４１】
説明を加えると、膨張タンク２０が、戻り側流路部分４ａにおける三方弁１７と循環用電磁弁１５との間に接続され、貯湯湯水供給路２１が、上記第１実施形態と同様に、熱媒循環路４における往き側流路部分４ｂに接続されている。
そして、熱媒供給手段５が、オーバーフロー排出式の立ち上げ循環状態に切り換えられると、排水用電磁弁１８を開弁させた状態で熱媒循環ポンプ１４を作動させ、貯湯湯水供給手段２４にて往き側流路部分４ｂに供給される貯湯タンク１内の湯水を熱媒として放熱部２を通過させ、放熱部２の通過あとの熱媒を膨張タンク２０に流動させてオーバーフローによりオーバーフロー路２０ａを通して外部に排出させるようにしている。
このようにして、第４実施形態では、第１実施形態において、戻り側流路部分４ａに接続されている排水路１９および排水用電磁弁１８を不要とし、コストの低減を図っている。
【００４２】
そして、運転制御部Ｈは、熱媒供給手段５の立ち上げ運転をするときに、供給状態に切り換えるように貯湯湯水供給手段２４の運転を制御するとともに、オーバーフロー排出式の立ち上げ循環状態に切り換えるように熱媒供給手段５の運転を制御するように構成されている。
【００４３】
ちなみに、この第４実施形態においては、貯湯タンク１内に貯湯されていない場合に、運転制御部Ｈは、熱媒供給手段５の立ち上げ運転をするときにも、通常運転と同様に、供給停止状態に切り換えるように貯湯湯水供給手段２４の運転を制御するとともに、通常循環状態に切り換えるように熱媒供給手段５の運転を制御し、かつ、熱源ボイラ３を運転させるように構成されている。
【００４４】
〔別実施形態〕
（１）上記第２および第３実施形態では、運転制御部Ｈは、熱媒供給手段５の立ち上げ運転をするときに、熱源ボイラ３を運転させるように構成されているが、運転制御部Ｈは、条件によって、熱源ボイラ３を運転させる状態と熱源ボイラ３を運転させない状態とに切り換えるように構成してもよい。
例えば、運転制御部Ｈが、貯湯タンク１内の湯水の温度が設定温度以上であれば、熱源ボイラ３を運転させず、貯湯タンク１内の湯水の温度が設定温度未満であれば、熱源ボイラ３を運転させるように、貯湯タンク１内の湯水の温度に基づいて、熱源ボイラ３を運転させるか否かを制御することも可能である。
あるいは、熱源ボイラ３を運転させる熱源ボイラ運転用立ち上げモードと、熱源ボイラ３を運転させない熱源ボイラ非運転用立ち上げモードとを切り換えるモード切換スイッチを設けて、運転制御部Ｈが、モード切換スイッチの切換状態に基づいて、熱源ボイラ３を運転させるか否かを制御することも可能である。
【００４５】
また、運転制御部Ｈは、熱媒供給手段５の立ち上げ運転をするときに、熱源ボイラ３を運転させないようにして実施することも可能である。
【００４６】
（２）上記第１〜４実施形態では、燃料電池発電部１０における排熱を利用して、貯湯タンク１に貯湯するようにしているが、例えば、貯湯用循環路に、貯湯用熱交換器１３に加えて、ガスエンジンにおける排熱回収用熱交換器を設けて、燃料電池発電部１０における排熱に加えて、燃料電池発電部１０における排熱を利用して、貯湯タンク１に貯湯するようにしたり、あるいは、貯湯用循環路に、ガスエンジンにおける排熱回収用熱交換器のみを設けて、ガスエンジンにおける排熱を利用して、貯湯タンク１に貯湯するように構成することも可能である。
すなわち、貯湯タンク１に貯湯するための構成については、燃料電池発電部１０における排熱を利用するものに限らず、その他各種の構成が適応可能である。
【図面の簡単な説明】
【図１】第１実施形態における貯湯タンク併設式の熱媒供給設備の概略構成図
【図２】第２実施形態における貯湯タンク併設式の熱媒供給設備の概略構成図
【図３】第３実施形態における貯湯タンク併設式の熱媒供給設備の概略構成図
【図４】第４実施形態における貯湯タンク併設式の熱媒供給設備の概略構成図
【図５】従来構成１における貯湯タンク併設式の熱媒供給設備の概略構成図
【符号の説明】
１　　　　　　　貯湯タンク
２　　　　　　　放熱部
３　　　　　　　熱媒加熱手段
４　　　　　　　熱媒循環路
５　　　　　　　熱媒供給手段
６　　　　　　　給湯路
２０　　　　　　膨張タンク
２４　　　　　　貯湯湯水供給手段
Ｈ　　　　　　　運転制御部
【図１】
2004077074.tif 000003
【図２】
2004077074.tif 000004
【図３】
2004077074.tif 000005
【図４】
2004077074.tif 000006
【図５】
2004077074.tif 000007